(57)【特許請求の範囲】
【請求項１】
ネットワークに接続されて運用される複数の基地局を備え、各基地局は自局の有するアンテナあるいは自局に収容されたリモート局から入力された帯域信号を復調してベースバンドデジタル信号を生成するための復調器を有する通信システムにおいて、
基地局間を光ファイバ伝送路で接続すると共に、少なくとも一つの基地局は入力された前記帯域信号の一部を前記光ファイバ伝送路を介して他の基地局に伝送する手段を有し、前記他の基地局は伝送されてきた帯域信号の一部を該他の基地局の有する復調器により復調してベースバンドデジタル信号を生成する手段を有することを特徴とする通信システム。
【請求項２】
ネットワークに接続されて運用される複数の基地局を備え、各基地局はベースバンドデジタル信号を変調して自局の有するアンテナあるいは自局に収容されたリモート局へ送出する帯域信号を生成するための変調器を有する通信システムにおいて、
基地局間を光ファイバ伝送路で接続すると共に、少なくとも一つの基地局は前記光ファイバ伝送路を介して送信されてきた、他の基地局の有する変調器によってベースバンドデジタル信号から生成された帯域信号を自局の有する変調器によって生成された帯域信号と合わせて前記自局の有するアンテナあるいは自局に収容されたリモート局へ送出する手段を有することを特徴とする通信システム。
【請求項３】
自局の有するアンテナあるいは自局に収容されたリモート局に入力された受信帯域信号を復調してベースバンドデジタル信号を生成するための復調器と、ベースバンドデジタル信号を変調して自局の有するアンテナあるいは自局に収容されたリモート局へ送出する送信帯域信号を生成するための変調器とをそれぞれ有し、ネットワークに接続されて運用される複数の基地局を備える通信システムにおいて、
基地局間を光ファイバ伝送路で接続すると共に、少なくとも一つの基地局は、入力された前記受信帯域信号の一部を前記光ファイバ伝送路を介して第１の他の基地局に伝送する手段と、前記光ファイバ伝送路を介して送信されてきた、第２の他の基地局または前記第１の他の基地局の有する変調器によってベースバンドデジタル信号から生成された帯域信号を自局の有する変調器によって生成された前記送信帯域信号と合わせて前記自局の有するアンテナあるいは自局に収容されたリモート局へ送出する手段とを備え、前記第１の他の基地局は、前記光ファイバ伝送路を介して前記少なくとも一つの基地局から伝送されてきた前記受信帯域信号の一部を自局の有する復調器で復調して生成されるベースバンドデジタル信号を前記ネットワークに送出する手段を備え、前記第１の他の基地局または前記第２の他の基地局は、前記ネットワークから与えられたベースバンドデジタル信号を自局の有する変調器により変調して生成される帯域信号を前記光ファイバ伝送路へ送出する手段を備えることを特徴とする通信システム。
【発明の詳細な説明】
【０００１】
【発明の属する技術分野】
本発明はネットワークに複数の無線基地局を接続して構成される通信システムに関する。
【０００２】
【従来の技術】
近年における携帯電話の普及は目覚ましいものがあるが、その背景には無線基地局設置状況の充実によるサービスの向上がある。すなわち、無線電話端末はきめ細かく配置された無線基地局を介して無線通信回線を確保し、携帯電話網あるいは公衆回線網などにおける通話先の相手端末と通信する。
【０００３】
無線基地局は点在して配置され、各無線基地局は所要の範囲をサービスエリアとして、自局サービスエリア内の無線通信端末（携帯電話など）と交信できる。従って、サービスエリアの充実と通話料金の低減とによって、爆発的に携帯電話が普及するに至った。
【０００４】
ところで、基地局によって差はあるものの、無線基地局は回線数が固定であり、しかも、無線基地局はその設置地域により、また、時間帯により、携帯電話の利用状況が変化する。
【０００５】
つまり、その無線基地局のサービスエリア内で人々が頻繁に携帯電話を使用する高需要時間帯とそうでない時間帯である閑散需要時間帯とがあるといった具合に、携帯電話の基地局利用状況には時間帯による増減がある。
【０００６】
そのため、高需要時間帯では大勢の人の通話需要が発生することから通話回線の確保ができないと云ったことが避けられなくなる。このような事態を回避してサービスを確保しようとすると、無線基地局の回線数と処理能力は日常での最大のトラヒックに合わせておく必要があり、これでは設備の規模が大きくなって、コストアップに繋がる。
【０００７】
その解決法として、複数のリモート局を用意し、これらリモート局で送受信する信号を一つの無線基地局で一括して処理するようにした方式がある。
【０００８】
この方式を図２９に示す。すなわち、図２９の構成は一つの無線基地局構成を、複数のリモート局２とこれを統括する一つの基地局１とで構成するようにした基地局／リモート局の組み合わせからなるネットワーク構成とした方式であって、携帯電話端末３の出力した電波（無線信号）を受信し、また、携帯電話端末に対して電波を送信するためのアンテナを有するリモート局２を、当該アンテナと送受信信号を光電変換するための光電変換器との２要素を以て基本構成とし、変復調器は持たせない構成とする。
【０００９】
そして、リモート局２では、自局のアンテナで受信した無線信号を復調せず、光信号に変換してから光ファイバ４で基地局１に伝送する。
【００１０】
また、基地局１はアンテナは持たない構成であり、自局対応の各リモート局２から光ファイバ４を介して光伝送されてきた無線信号形態の光信号を受信して、これを光電変換して電気信号に戻し、復調してからネットワーク５を介して携帯電話端末３が所望する通信相手に接続する。
【００１１】
一方、基地局１ではネットワーク５から送られてきた通信端末への信号を変調し、無線信号に変換してからさらに光信号に光電変換する。そして、この無線信号の形態に変調済みの信号を、光ファイバ４で対応のリモート局２に伝送し、リモート局２ではこれを光電変換して電気信号（無線信号）に戻し、自局のアンテナから自局サービスエリア内に送信する。
【００１２】
このような方式のシステムとすると、複数のリモート局２のトラヒックが統計的に多重されるため、アンテナを有する局が個別に変復調する構成としている時よりもトータルの変復調器の必要数が少なくて済む。また、リモート局２を分散配置することで、時間帯、曜日等によって変動するトラヒックを平準化して運用することが可能になる。
【００１３】
しかし、昨今、携帯電話の大幅な普及に伴う回線数の確保の観点から基地局数を増設して密に配置するようにした結果、一つの基地局でカバーさせるサービスエリアが小さくなってきている。
【００１４】
そのため、上述のように光ファイバを使用してリモート局と基地局という形態をとっても、一つの基地局で収容できるリモート局の数には限界が生じる。それ故、初めに述べたように、やがてはアンテナを有する局が単独で処理する場合と同様、時間帯、曜日等によってトラヒックが大きく変動するようになる。
【００１５】
そして、基地局に、自局収容の複数のリモート局をトータルしたトラヒックの最大時に合わせて、変復調器を設備するようにすると、その規模が大きくなる。
【００１６】
【発明が解決しようとする課題】
上述のように、基地局当たりのサービスエリアの小型化に伴って、個々の基地局でのトラヒックの変動が大きくなり、回線数を平均的なトラヒックに合わせて用意しておくと、高需要時には回線数が不足して思うように通話できなくなる。そこで、ユーザの利便性という点を考慮すれば基地局の回線容量を最大のトラヒックに合わせて設計すれば良いわけであるが、回線容量を最大のトラヒックに合わせて用意すると、設備規模が大きくなり、コストアップに繋がる。
【００１７】
故に、これらの点を合理的に解決する技術の開発が急務である。
【００１８】
本発明は、上記の事情に鑑みてなされたものであり、その目的とするところは、第１には、基地局に備える変復調装置の規模をその基地局の最大のトラヒックに合わせる必要がなく、従って、設備の削減ができて、省スペース、低コスト化を図ることができるようにした通信システムを提供することにある。
【００１９】
また、本発明は、第２には、システム障害時のバックアップ機構として使用することが可能であり、信頼性の高いシステムが構築できるようにした通信システムを提供することにある。
【００２０】
【課題を解決するための手段】
上記目的を達成するため、本発明は次のようにする。
【００２１】
［１］  本願第１の発明では、無線通信で用いられる帯域信号をベースバンドデジタル信号に復調する復調器を備え、ネットワークに接続されて運用される複数の基地局からなる通信システムにおいて、基地局間を光ファイバ伝送路で接続すると共に、基地局の一つに入力された復調されていない帯域信号の一部を光ファイバ伝送路を介して他の基地局に伝送し、前記他の基地局の有する復調器でベースバンドデジタル信号に復調させる機能を有することを特徴とする通信システムを提供する。
【００２２】
本発明では、基地局は、例えば自局の有するアンテナからの受信信号や、あるいは、自局に収容されたリモート局からの受信信号を復調しベースバンドデジタル信号に復調する復調器を持っている。
【００２３】
従来は復調器はその基地局が受信する最大のトラヒックに見合った規模が必要であったが、本発明では、基地局に備える復調器はその基地局での最大トラヒックに見合う規模とはしない。
【００２４】
その代わりに、トラヒックが大きく自局の復調器が不足して復調できない時には、復調できない分の信号を光ファイバ伝送路を介してその時間にトラヒックの少ない基地局に送信し、そこで復調処理してベースバンドデジタル信号に変換する。
【００２５】
そして、そこの基地局からネットワークを介し、信号の通信先に送るようにする。逆に、自局のトラヒックが少ない時には、トラヒックの多い他の基地局の信号を処理する。このようにすることによって、トラヒックの最大値に合わせた設備が不要となり、かつ、トラヒックの変動に柔軟に対応できる。
【００２６】
［２］  さらに、本願第２の発明では、ベースバンドデジタル信号を無線通信で用いられる帯域信号に変調する変調器を備え、ネットワークに接続されて運用される複数の基地局からなる通信システムにおいて、基地局間を光ファイバ伝送路で接続すると共に、少なくとも基地局の一つは、光ファイバ伝送路を介して送信されてきた、他の基地局の変調器によってベースバンドデジタル信号から生成された帯域信号を自局から送出する信号として用いる機能を有することを特徴とする通信システムを提供する。
【００２７】
本願第２の発明は、基地局から自局のアンテナを介して携帯電話端末に送信する信号、あるいは光ファイバでリモート局に送信する信号についての構成を記述している。基地局のトラヒックが多くその基地局内の変調器が不足した時、自局にネットワークから送られてくる信号の一部が、その時間はトラヒックの少ない他の基地局に転送されるようにする。
【００２８】
その転送先の基地局が無線信号の信号形態に変調し、光ファイバ伝送路を介して、その信号を携帯機やリモート局に送信する基地局に伝送する。送られてきた光信号を取り込んだ基地局は、これを自局のアンテナから送信、あるいは、リモート基地局に送信する。その結果、トラヒックの最大値に含わせた設備が不要となり、かつ、トラヒックの変動に柔軟に対応できる。
【００２９】
［３］  さらに、本願第３の発明では、本願第１の発明および本願第２の発明の特徴を同時に備える通信システムを提供する。
【００３０】
近年、送受信の情報量が非対称な通信が増えているため、本願第１の発明や本願第２の発明単独でも有効性があるが、一般には、送信のトラヒックが増えるときには、受信のトラヒックも増える。
【００３１】
従って、本願第１の発明の特徴、すなわち、自局に入力された復調されていない帯域信号を他の基地局に光ファイバで転送して復調してもらう構成と、本願第２の発明の特徴、すなわち、自局のアンテナやリモート局に送り出すデータを他の局で変調し光ファイバで送ってもらう構成を同時に備えることによって、双方向のトラヒック増に対応することができ、より柔軟なシステム構成が可能となる。
【００３２】
［４］  さらに、本願第４の発明では、前記複数の基地局は、各々が複数のリモート局を収容する集中基地局であることを特徴とする本願第１の発明ないし本願第３の発明の通信システムを提供する。
【００３３】
本願第４の発明では、本願第１から第３の発明をリモート局を収容する集中基地局に適用する。リモート局と集中基地局という形態は、もともと、トラヒックが平滑化され易いが、本発明の形態を適用することによって、さらにトラヒックを平滑化させることができ、集中基地局に備える変復調器の規模を小さくすることが可能となる。
【００３４】
以上、本発明によれば、基地局に備える変復調装置の規模をその基地局の最大のトラヒックに合わせる必要がなく、従って、設備の削減ができて、省スペース、低コスト化を図ることができるようにした通信システムを提供できる。
【００３５】
また、本発明は、システム障害時のバックアップ機構として使用することが可能であり、信頼性の高いシステムが構築できるようにした通信システムを提供できる。
【００３６】
【発明の実施の形態】
以下、本発明の実施の形態を図面を用いて説明する。なお、以下の説明では本発明に直接関連のある部分のみを示し、例えば、増幅器、電源などといった本発明とは関連が薄いが、実際のシステムには含まれる要素は示していない。
【００３７】
また、システムとしては送信系統と受信系統とを必要とするが、ここではそれらを機能別に分けて説明することとする。
【００３８】
まず初めに受信系の構成から説明する。
【００３９】
（受信系統の実施形態）
ここでは、無線通信で用いられる帯域信号をベースバンドデジタル信号に復調する復調器を備える複数の基地局からなる通信システムにおいて、基地局間を光ファイバ伝送路で接続すると共に、基地局の一つに入力された復調されていない帯域信号の一部を光ファイバ伝送路を介して他の基地局に伝送し、前記他の基地局の有する復調器でベースバンドデジタル信号に復調する機能を有する構成とすることにより、各基地局では復調器をその基地局での平均的なトラヒックに見合う程度の規模分、用意すれば済むようにする。
【００４０】
本発明では、基地局は、例えば自局の有するアンテナからの受信信号や、あるいは、自局に収容されたリモート局からの受信信号を復調しベースバンドデジタル信号に復調する復調器を持っている。
【００４１】
従来は復調器はその基地局が受信する最大のトラヒックに見合った規模が必要であったのを、平均的なトラヒックに対処できる程度の規模の復調器を用意した構成とする。すなわち、本発明では、基地局は備える復調器は最大トラヒックに対処できるような規模とはしない。
【００４２】
その代わりに、トラヒックが大きく自局の復調器が不足して復調できない時には、復調できない分の信号を光ファイバ伝送路を介してその時間にトラヒックの少ない基地局に送信し、そこで復調処理してベースバンドデジタル信号に変換するようにし、その基地局からネットワークを介し、信号の通信先に送るようにし、逆に、自局のトラヒックが少ない時には、トラヒックの多い他の基地局の信号の処理を引き受けるようにする。このようにすることにより、設備規模はトラヒックの最大値に見合う程は不要で、かつ、トラヒックの変動に柔軟に対応できるシステムとなる。
【００４３】
＜具体例１＞
具体例１として、復調系統から見たシステム構成の詳細を説明する。図１は具体例１としての実施形態を示したブロック図である。図１において、５はネットワーク、６‐１，６‐２は基地局、７は光ファイバである。また、８は基地局６−１の光インターフェース、９は基地局６−２の光インターフェースであり、１０−１，１０−２は端子、１１は分配器、１２−１，１２−２は復調器、１３−１，１３−２は処理装置、１４−１，１４−２はインターフェースである。
【００４４】
基地局６−１，６−２は、それぞれインターフェース１４−１，１４−２を介してネットワーク５に接続されている。ここで基地局６−１はトラヒックが多くなった時点でトラヒックの一部を基地局６−２に迂回させ、当該基地局６−２に処理を分担させる構成である。
【００４５】
ここで基地局６−１，６−２は、自局にアンテナを有する構成としたり、あるいは自局にリモート局を接続した構成を採るなど、種々の形態を採用可能である。
【００４６】
基地局６−１は端子１０−１、光インターフェース8、分配器１１、復調器１２ −１、処理装置１３−１、インターフェース１４−１を備える。
【００４７】
また、基地局６−２は、光インターフェース９、端子１０−２、復調器１２−２、処理装置１３−２、インターフェース１４−２を備える。
【００４８】
前記端子１０−１は、基地局６−１が収容するリモート局やアンテナから送られてきた復調されていない帯域信号を自局に取り込むために設けた端子である。
また、端子１０−２は、基地局６−２が収容するリモート局やアンテナから送られてきた復調されていない帯域信号を自局に取り込むために設けた入力用の端子である。
【００４９】
ネットワーク５は電話網などの公衆網であり、光ファイバ７は、基地局６−１と基地局６−２とを結ぶ光伝送路であって、ネットワーク５とは独立して設けられている。
【００５０】
前記分配器１１は、前記端子１０−１に入力された復調されていない帯域信号を通すことにより、基地局６−１内で復調する信号と、他の基地局６−２で復調する信号に分けるためのものである。
【００５１】
また、復調器１２−１は、この分配器１１により分けられた自局側で復調する信号をを受けて、当該信号をベースバンドデジタル信号に復調するためのものである。また、処理装置１３−１は、復調器１２−１により復調されたベースバンドデジタル信号を、ネットワーク５に送り出されるのに適切なデータフォーマットに処理するものであり、インターフェース１４−１はこの処理装置１３−１によりデータフォーマット変換されたベースバンド信号を、ネットワーク５の物理条件に合わせた上でネットワーク５へと送り出すためのものである。
【００５２】
光インターフェース８は、分配器１１で分配された信号のうち、他の基地局６−２に転送する信号を、光ファイバ７に送り出すためのインターフェースである。
【００５３】
光インターフェース９は、光ファイバ７を伝送されてきた光信号を取り込むためのインターフェースであり、結合器１５は、端子１０−２から入力された信号と、光ファイバ７を伝送されて来た信号とを合流させて復調器１２−２に入力させるためのものであり、復調器１２−２はこの合流された信号を、ベースバンドデジタル信号に復調させるためのものである。
【００５４】
処理装置１３−２は、復調器１２−２で復調されたベースバンドデジタル信号を、ネットワーク５に送り出すのに適切なデータフォーマットに処理するためのものであり、インターフェース１４−２はこの処理装置１３−２によって処理された信号を、ネットワーク５の物理条件に合わせて当該ネットワーク５へと送り出すためのものである。
【００５５】
このような構成の本システムにおいて、基地局６−１では、当該基地局６−１が収容するリモート局やアンテナから送られてきた復調されていない帯域信号が自局における端子１０−１より入力される。
【００５６】
この入力された復調されていない帯域信号を分配器１１に通すことにより、基地局６−１内で復調する信号と、他の基地局６−２で復調する信号に分ける。この分けられた信号のうち、自局で復調する信号は自局内の復調器１２−１に入力する。当該復調器１２−１はこの信号をベースバンドデジタル信号に復調する。
復調器１２−１により復調されたベースバンドデジタル信号は、処理装置１３−１に送られ、ここでネットワーク５に送り出されるのに適切なデータフォーマットに処理され、インターフェース１４−１によってネットワーク５の物理条件に合わせた上でネットワーク５へと送り出される。
【００５７】
一方、分配器１１で分配された信号のうち、他の基地局６−２に転送する信号は、光インターフェース８を通って光ファイバ７に送り出される。そして、当該光ファイバ７を伝送されて来た信号は、基地局６−２における光インターフェース９を通って当該基地局６−２に入力される。
【００５８】
基地局６−２では、この信号を結合器１５に入力する。結合器１５は、端子１０−２から入力されてきた基地局６−２ではじめから復調されるべき信号と合流させるためのものであり、ここで両者は合流された後に復調器１２−２に入力されて、ベースバンドデジタル信号に復調される。
【００５９】
復調器１２−２で復調されたベースバンドデジタル信号は処理装置１３−２でネットワーク５に送り出されるのに適切なデータフォーマットに処理された後、インターフェース１４−２により、ネットワーク５の物理条件に合わせて当該ネットワーク５へと送り出される。
【００６０】
そして、ネットワーク５に送り出された信号は、それぞれの信号の通話先に送信される。
【００６１】
本実施例において、基地局６−１，６−２の構成は、端子１０−１，１０−２に自局の有するアンテナ１８からの信号が入力される場合（図２（ａ））と、端子１０−１，１０−２に自局の収容するリモート局２からの信号が入力される場合（図２（ｂ））、さらに、それらの両方からの入力がある場合など、条件によって異なる。
【００６２】
端子１０−１，１０−２は図１では１本の端子であるように描かれているが、実際には複数の端子の集合である場合もある。また、基地局１０−１，１０−２に備えられるアンテナ１８は図３（ａ）、（ｂ）のように複数本ある場合がある。
【００６３】
このとき、例えば、アンテナ１本分の受信信号を他の基地局で処理してもらう構成とする場合は、図３（ａ）のように、複数系統分の独立した経路切替え用の回路切替スイッチを持つスイッチ１９を用いて複数本のアンテナ１８ａ，〜１８ｎを、それぞれ対応する特定の異なる一つの系統の切替スイッチに接続し、アンテナ１８ａ，〜１８ｎのうち、所望のアンテナを当該スイッチ１９を介して光送信器２０に導くように、また、他の残りのアンテナそれぞれは自基地局内の処理系である復調器１２に信号を導くよう、経路を切り替えて設定しておく。
【００６４】
このようにすると、複数のアンテナ１８ａ，〜１８ｎのうち、特定の１本の受信電波は光送信器２０に送られ、また、他のアンテナの受信電波は自局内の復調器１２に送られることになる。光送信器２０に送られた特定の１本のアンテナの受信電波はこの光送信器２０において光信号に変換された後に、この光送信器２０に接続される光ファイバ７へと送り出され、光ファイバ７の繋がる他の基地局に送られ、処理されることになる。
【００６５】
ここで光送信器２０は、図１の光インターフェース８に該当する。
【００６６】
アンテナ１８で受信される信号は、ＲＦ（ｒａｄｉｏ  ｆｒｅｑｕｅｎｃｙ）と呼ばれる周波数帯の信号であり、無線信号が空中を伝搬するときの周波数帯にある。ＲＦは、例えば、１．５［ＧＨｚ］，２［ＧＨｚ］といった高い周波数の信号である。
【００６７】
光送信器２０は電気信号を光信号に変換するものであり、光源を内蔵してこの光源の光を電気信号対応に変調することにより、電気信号の持つ情報を光変調により光信号に反映させる。通信用には光源として通常、半導体レーザ素子を用いるが、ＲＦ信号で光送信器２０の半導体レーザ素子に強度変調をかける場合は、高周波特性の良い半導体レーザ素子が必要となる。
【００６８】
ＲＦ信号によって半導体レーザ素子に強度変調をかけるようにする利点としては、信号に手を加えないため、系がシンプルになることである。
【００６９】
しかしながら、高周波特性の良い半導体レーザ素子は高価である。低コストで周波数特性の劣る半導体レーザ素子を使用する場合は、半導体レーザ素子の前に周波数変換器を挿入して中間周波数（ＩＦ：ｉｎｔｅｍｅｄｉａｔｅ  ｆｒｅｑｕｅｎｃｙ）などの比較的低い周波数にダウンコンバートして用いると良い。
【００７０】
以上は、特定１本のアンテナの受信信号を他局に送って処理してもらう構成であったが、アンテナ１本分ではなく、多数本のアンテナの受信信号を他局に送って処理してもらう構成も考えられる。その場合の構成は図３（ｂ）の如きとすると良い。すなわち、自局の持つ複数のアンテナ１８ａ，〜１８ｎのうちの複数本分について、その受信信号を他の基地局に転送する構成を採用したい場合は、図３（ｂ）のように、複数系統分の独立した経路切替え用の回路切替スイッチを持つスイッチ１９を用いて複数本のアンテナ１８ａ，〜１８ｎを、それぞれ対応する特定の異なる一つの系統の切替スイッチに接続し、アンテナ１８ａ，〜１８ｎのうち、所望の複数本のアンテナを当該スイッチ１９を介して多重化装置２４に導き、この多重化装置２４で多重した後、光送信器２０に導くように、また、他の残りのアンテナそれぞれは自基地局内の処理系である復調器１２に信号を導くよう、経路を切り替えて設定しておく。
【００７１】
多重化装置２４は、各々のアンテナ出力を重なり合わない周波数に変換した後、結合し、光送信器２０に入力する機能を有する。
【００７２】
このようにすると、複数のアンテナ１８ａ，〜１８ｎのうち、所望の複数本分の受信信号は多重化装置２４に送られ、また、他のアンテナの受信信号は自局内の復調器１２に送られることになる。多重化装置２４に導かれた受信信号はここで各々のアンテナ出力を重なり合わない周波数に変換し、結合して、光送信器２０に入力する。
【００７３】
光送信器２０ではこの結合されて多重された信号を光信号に変換した後に、この光送信器２０に接続される光ファイバ７へと送り出し、この光ファイバ７に繋がっている他の基地局に送られてここで処理されることになる。
【００７４】
ここで、この例では、複数本のアンテナの受信信号をそれぞれの系統で重なり合わない周波数に変換して結合し、多重するが、これは光ファイバ７が１系統分しか備えていない構成を採用しているがためであり、複数系統分の光ファイバ７が用意されていてそれらが使用できるのであれば、アンテナそれぞれの受信信号を別々の光送信器２０で光信号に変換して、別々の光ファイバ７で伝送するよう構成することができる。この場合、アンテナ系統別に独立しているので、多重化装置２４が不要となる。
【００７５】
さらに、図４の構成のように、それぞれの光ファイバ７ａ，〜７ｎの接続先がが特定の一つの基地局ではなく、異なる複数の基地局１６−２，１６−３，１６−４，１６−５に１本ずつ別々に接続された構成を採用するようにしても良い。あるいは、図５の構成のように、基地局１６内に複数の光変調器２０ａ，〜２０ｎを設けて他の基地局に送る分に該当するアンテナの出力それぞれを別々の光変調器２０ａ，〜２０ｎで波長が異なる光信号に変換した後、光結合器２５で結合して１本の光ファイバ７に送り出すようにしても良い。
【００７６】
この時、それぞれのアンテナで受信した信号の周波数が重なり合わないように周波数変換した後、光信号に変換することによって光受信器側では、送られてきた光信号を波長分離せずに１つの光電変換器で受信することができる。
【００７７】
もし、送信するときに周波数変換せず、複数のアンテナからの信号の周波数が重なっているならば、光受信器側で波長を分離して別々の光電変換器で受信すると良い。
【００７８】
自局のアンテナ１本で受信した信号の一部を他の基地局に転送する場合は、図３（ｃ）のようにアンテナ１８にて受信した信号を分岐器２１で分岐し、分岐した一方を自局内の復調器１２で復調し、分岐した他方を光送信器２０で光信号に変換して光ファイバ７に送るようにする。この時、フィルタ２３やフィルタ２２によって、自局の復調器および転送先の基地局の復調器に実際に復調させる分の信号のみ取り出すようにし、復調器１２や光送信器２０に入力するような構成としてもよい。尚、そのような要求がない場合は図３（ｄ）のように、フィルタなどは挿入せずにパワーを分岐して送れば良い。このとき、転送された先の基地局で、どの信号を復調すればよいか判別できるように、基地局１６は転送先の基地局にどの信号を復調すべきかを制御回線などを通して指示すると良い。
【００７９】
さらに、図３（ａ）、（ｂ）と図３（ｃ）、（ｄ）を組み合わせた形態、すなわち、自局のアンテナの内の何本分かを他局に転送するが、それらのアンテナの一部の出力を分岐器で分岐して、自局と他局で復調を分担する、あるいは、複数の他局に送信する等の形態も可能である。
【００８０】
基地局がリモート局を光ファイバで収容する形態でのバリエーションを次に説明する。
【００８１】
［形態１］
基地局がリモート局を光ファイバで収容する形態で、リモート局を収容する光ファイバ４が複数本ある場合。
【００８２】
この場合は、図６の構成のように、それらを光スイッチ２８に入力する。
【００８３】
光スイッチ２８の作用は、経路を切り替える対象が光信号であるから、光路切替え機能を有する構成である点を除き、図３（ａ）で説明した電気信号用のスイッチ１９と全く同じである。
【００８４】
そして、自局内で復調する分は、それぞれ光受信器２９で電気信号に変換し復調器１２に入力するが、他の基地局で復調させる分は光コネクタ２７を介して光ファイバ７に送り出す構成とする。この形態では光インターフェースは光コネクタである。
【００８５】
光スイッチは機械的に接続を切り替える低コストなものが使用できるため、このような構成を採用する場合には、システムコストを安価にすることが可能になる。
【００８６】
［形態２］
基地局がリモート局を光ファイバで収容する形態で、リモート局を収容する光ファイバ４が１本の場合。この場合は、図７に示す構造の基地局２６のように、入力されたリモート局からの光信号を光分岐器３０で分岐して、一方を自局で光電気変換した後（光受信器２９による光電変換）、復調器１２で復調するようにし、また、光分岐器３０で分岐した他方の光はを光コネクタ２７を介して他の基地局に転送するようにしてもよい。
【００８７】
あるいは、図８（ｂ）の構成のように、一旦、受け取った光信号を光受信器２９で光電気変換してから電気信号用の分岐器２１で分岐した後、一方はフィルタ２２によって他の基地局で復調する信号のみにしてから光送信器２０で光信号に変換して光ファイバ７に送り出して他局へ渡すようにしてもよい。
【００８８】
電気信号用の分岐器２１で分岐した他方は、必要に応じてフィルタ２３を通して、自局で復調する。
【００８９】
［形態３］
基地局がリモート局を光ファイバで収容する形態で、リモート局を収容する光ファイバ４が１本である場合の例としては、光ファイバ１本に接続されているリモート局がただ１局のみである場合と、図８（ａ）のように、複数のリモート局２ａ，〜２ｎからの光信号が合流されている場合がある。
【００９０】
これらのうち、複数のリモート局からの光信号が合流している構成の場合は、一旦、光電変換してから結合し、まとめて再び光信号にする場合と、途中に光電変換は入らずリモート局間で光波長多重をする場合がある。
【００９１】
途中に光電変換がある場合は、集中基地局に送られてくる光は１波であるので、図８（ｂ）の方法や図７の方法が有効である。
【００９２】
これに対して、リモート局間で波長多重する構成の場合は、図８（ｃ）のように、分岐器として光波長分波器３２を使用して多重された光を波長群に分け、いくつかの波長を自局で受信し、残りを光コネクタ２７を介して光ファイバ７へ送り出し、他の基地局で復調してもらうようにするとよい。
【００９３】
図８（ｂ）や図７の方法も可能であるが、図８（ｃ）の方法を採用した場合には、各々の復調器に復調する必要のある信号のみを送ることが、より容易になると云う効果が得られる。
【００９４】
［形態４］
リモート局を収容する光ファイバが複数系統あり、そのうちのいくつかを他の基地局に転送する場合。
【００９５】
この場合は、光スイッチで各々を他の基地局に（場合によっては複数の他の基地局に）接続される光ファイバに振り分ける。あるいは、図９の構成のように、一旦、それらを各々光受信器２９で受信して、多重化装置２４に入力し、ここで互いが重なり合わないように周波数変換をしてから結合し、光送信器２０で光信号に変換して光ファイバ７ヘ送り出す構成にする。
【００９６】
あるいは、図１０の構成のように、結合器２５の前段に複数の波長変換器３３ａ、〜３３ｍを設けて、光スイッチ２８で分けた光のうち、光ファイバ７に送る光についてそれぞれの光波長が重なり合わないようにこれらの波長変換器を通して波長変換した後、結合器２５で結合してから光ファイバ７に送り出すようにしても良い。このとき、それぞれの光信号に乗った電気信号の周波数が重なり合わないようになっている場合は受信側では波長を分離せず一括して受信できる。
【００９７】
そうでない場合は、受信側では波長を分離して各々別の光受信器で受信する。
リモート局を光ファイバで収容している場合も、図６、図９、図１０と図８、図７を併用できる。
【００９８】
すなわち、リモート局を収容する光ファイバが複数本あるとき、その内の１本分を分けて、その一部を他の基地局に送りだし、残りの部分と、その他のファイバからの分は自局で復調してもよい。
【００９９】
なお、復調器１２はこれまでの説明では主に、入力線が１本であるように記述したが、図１１（ｂ）に示す構成のように、複数の入力端子３４を有した構成とてもよい。アンテナやリモート局からの光ファイバが複数本ある場合には、復調器１２としてはこのような構成の方が望ましい。また、他局から復調の依頼がある場合、復調器１２が複数の入力端子を持つ構成となっていれば図１の結合器１５が不要となる。
【０１００】
入力端子が１本しかない復調器１２の場合は、図１１（ａ）に示す如きの構成となる。すなわち、復調を行う復調素子３５を複数個配置し、これら各復調素子３５は入力側を束ねて一つの共通の入力端子３４とした構成とする。出力端子３６は各復調素子３５それぞれで独立している。
【０１０１】
入力端子が１本のみでも通常、入力信号に複数の信号が含まれているので、入力信号を分岐して、各々の信号を各復調素子３５に入力し、それぞれにおいて復調して取り出す。
【０１０２】
また、入力が複数本ある場合（図１１（ｂ））も同様に、それぞれをその入力端子に入力される信号に含まれる信号の数に分岐して、各々を異なる復調素子３５で復調する。
【０１０３】
但し、複数の復調素子３５をそれぞれ異なるＩＣ（集積回路素子）とすると、装置スペースをとるので、図１１（ａ）の構成を一纏めの復調素子ブロックとして、１つのＩＣにしたものを使用するようにすると良い。あるいは、ソフトウェアによる信号処理で実効的に図１１（ａ）の機能を持つようにしたＩＣを使用するようにしても良い。
【０１０４】
処理装置１３は図１２のように復調器１２によって復調された複数の信号を入力し、ネットワーク５に送り出すに適正なデータ形態に多重し、ヘッダをつけるなどの処理をする。さらに、基地局の状態を示す制御信号などが付加される。
【０１０５】
本発明の説明では便宜的に処理装置と復調器を別々に示したが、まとめて１つのＩＣになっていても良い。ネットワークに接続されるためのインターフェース１４は、ネットワークに接続するための線が光ファイバならば、光送信器、電気ケーブルならば、電気の増幅器、コネクタなどである。
【０１０６】
図１において、基地局６−２では、基地局６−１から送られてきた光信号を光電変換して復調器１２−２で無線形態の信号からベースバンドディジタル信号に復調する。基地局６−２の構成も基地局６−２の場合と同様に、様々な形態が考えられる。
【０１０７】
例えば、光インターフェース９が光受信器で、端子１０−２から入力された自局のアンテナで受信した信号、あるいは、自局の収容するリモート局からの光信号を光電変換した信号と、結合器１５で結合し、復調器１２−２に入力し復調する。あるいは、復調器が複数の入力端子を備えるならば、結合器で結合せずに、各々を復調器の別々の入力端子に入力しても良い。
【０１０８】
あるいは、光インターフェース９が光コネクタで、基地局６−２の収容するリモート局から送られてきた光信号と、結合器１５で結合して共通の光受信器で光電変換し復調器に入力しても良い。このとき、基地局６−１から送られてきた光とリモート局から送られてきた光の波長が受信帯域内でビートを起こさない程度に離れていること、また、基地局６−１から送られてきた光のサブキャリア周波数と、リモート局から送られてきた光のサブキャリア周波数が重なり合わないことが条件として必要である。
【０１０９】
復調器１２−２で復調された信号は、処理装置１３−２によって適切なデータ形態に変換され、ネットワーク５とのインターフェース１４−２によってネットワークに適した状態にして送り出される。
【０１１０】
以上は、受信系統を主体に本発明システムの構成を説明したが、次に送信系統を主体に本発明システムを説明する。
【０１１１】
（送信系統の実施形態）
ここに説明する本発明は、ベースバンドデジタル信号を無線通信で用いられる帯域信号に変調する変調器を備える複数の基地局からなる通信システムにおいて、基地局の一つは、光ファイバ伝送路を介して送信されてきた、他の基地局の変調器によってベースバンドデジタル信号から生成された帯域信号を用いる機能を有することを特徴とする通信システムを提供する。
【０１１２】
本願第２の発明は、基地局から自局のアンテナを介して携帯電話端末に送信する信号、あるいは光ファイバでリモート局に送信する信号についての構成を記述している。基地局のトラヒックが多く、その基地局内の変調器が不足した時、自局にネットワークから送られてくる信号の一部を、その時間はトラヒックの少ない他の基地局に転送させるようにする。そして、その転送先の基地局において無線信号の信号形態に変調し、光ファイバ伝送路を介して、その信号を携帯機やリモート局に送信する基地局に伝送するようにする。送られてきた光信号を取り込んだ基地局は、これを自局のアンテナから送信、あるいは、リモート基地局に送信する。その結果、トラヒックの最大値に含わせた設備が不要となり、かつ、トラヒックの変動に柔軟に対応できる構成となる。
【０１１３】
以下、詳細を説明する。ここでは、他の基地局の変調器で変調され、光ファイバで伝送されて来た信号を使用する時の実施の形態について述べる。
【０１１４】
図１３は、基地局４０−１が基地局４０−２から変調済みの信号を光ファイバ７を経由して転送してもらい、自局のアンテナまたは、リモート局に送り出す形態の例である。
【０１１５】
＜送信系統の具体例１＞
詳細を説明する。図１３は送信系統の具体例１としてのシステム構成図である。図１３において、５はネットワーク、４０‐１，４０‐２は基地局、７は光ファイバである。また、４３は基地局４０−１の光インターフェース、４４は基地局４０−２の光インターフェースであり、４１は結合器、４２は分配器、４５−１，４５−２は変調器、４６−１，４６−２は処理装置、４７−１，４７−２はインターフェース、４８−１，４８−２は出力用の端子である。
【０１１６】
基地局４０−１，４０−２は、それぞれインターフェース４７−１，４７−２を介してネットワーク５に接続されている。ここで基地局４０−１はトラヒックが多くなった時点でトラヒックの一部を基地局４０−２に迂回させ、当該基地局４０−２に処理を分担させる構成である。
【０１１７】
ここで基地局４０−１，４０−２は、自局にアンテナを有する構成としたり、あるいは自局にリモート局を接続した構成を採るなど、種々の形態を採用可能である。
【０１１８】
基地局４０−１は端子４８−１、光インターフェース４３、結合器４１、変調器４５−１、処理装置４６−１、インターフェース４７−１を備える。
【０１１９】
また、基地局４０−２は、光インターフェース４４、端子４８−２、変調器４５−２、処理装置４６−２、インターフェース４７−２を備える。
【０１２０】
前記端子４８−１は、基地局４０−１が収容するリモート局やアンテナに送る送信信号をこれらリモート局やアンテナに与えるために設けた出力用の端子である。
【０１２１】
また、端子４８−２は、基地局４０−２が収容するリモート局やアンテナに送る送信信号を、これらリモート局やアンテナに与えるために設けた出力用の端子である。
【０１２２】
ネットワーク５は電話網などの公衆網であり、光ファイバ７は、基地局４０−１と基地局４０−２とを結ぶ光伝送路であって、ネットワーク５とは独立して設けられている。
【０１２３】
基地局４０−１におけるインターフェース４７−１は、ネットワークでの物理条件に合わせるためのものであって、ネットワーク５から送られてきた信号を受け取るためのものであり、処理装置４６−１は、インターフェース４７−１を介して受け取ったネットワーク５からの信号を、ネットワーク用データフォーマットのデータ形式から制御信号を分離し、データ部を個々のベースバンドデジタル信号に変換すると云った処理をするものであり、変調器４５−１はこのベースバンドデジタル信号を変調して無線通信に用いる帯域信号にする装置である。
【０１２４】
また、結合器４１はこの変調器４５−１からの無線周波数の信号と光インターフェース４３からの信号を結合して端子４８−１に出力するものであり、光インターフェース４３は基地局４０−２からの光信号を電気信号に変換して結合器４１に与えるためのものである。
【０１２５】
基地局４０−２におけるインターフェース４７−２は、ネットワークでの物理条件に合わせるためのものであって、ネットワーク５から送られてきた信号を受け取るためのものであり、処理装置４６−２は、インターフェース４７−２を介して受け取ったネットワーク５からの信号を、ネットワーク用データフォーマットのデータ形式から制御信号を分離し、データ部を個々のベースバンドデジタル信号に変換すると云った処理をするものであり、変調器４５−２はこのベースバンドデジタル信号を変調して無線通信に用いる帯域信号にする装置である。
【０１２６】
また、基地局４０−２の分配器４２はこの変調器４５−２からの無線通信に用いる帯域信号を宛先別に分岐させて端子４８−２に与えたり、光インターフェース４４に与えたりするものであり、光インターフェース４４はこの分配された信号を光電変換して光信号として光ファイバ７に出力するためのものである。
【０１２７】
このような構成の本システムは、ネットワーク５より基地局４０−１，４０−２に与えられた信号をその基地局では自局のインターフェース４７−１，４７−２にて受け取る。そして、自局の処理装置４６−１，４６−２にて制御信号を分離し、データを個々のベースバンド信号化する。このベースバンド信号は自局の変調器４５−１，４５−２にて無線通信に用いる帯域信号に変調される。
【０１２８】
以上は、トラヒックが自局の容量内に収まっている場合での動作である。
【０１２９】
一方、トラヒックが自局の容量を超えた場合を説明する。基地局４０−１のサービスエリアでは、トラヒックが時間帯や曜日などによって著しく変化するものとし、基地局４０−２ではそのサービスエリア内でのトラヒックが、基地局４０−１のトラヒックが容量を越えたときも何時でも容量以下で余裕があるとする。
【０１３０】
この場合、処理装置４６−１は基地局４０−１は自局の変調器で変調しきれないと判断したデータを、自局から、あるいはデータの送り元から、変調、転送を指示する制御情報と共にネットワーク５を介して基地局４０−２へ転送する（あるいは転送するようにデータの送り元に指示する）。
【０１３１】
これにより、基地局４０−２では自局のアンテナから（あるいは自局の収容するリモート基地局から）送信させるべきデータと共に、基地局４０−１の代理で変調するデータをネットワーク５から受信することになる。
【０１３２】
基地局４０−２はこれを処理装置４６−２によって、個々の携帯機器に送られるデータに分割し、適切なデータ形態に処理した後、変調器４５−２に入力してそれぞれ帯域信号に変調する。
【０１３３】
これを分配器４２に入力して、基地局４０−２のアンテナや基地局４０−２が収容しているリモート基地局へ送り出す分の信号と、基地局４０−１へ送り出す信号とに分け、宛先毎に結合して送り出す。これにより、基地局４０−１へ送る分は光インターフェース４４に送られることになり、ここで光信号に変換された後、光ファイバ７を介して基地局４０−１へと光伝送される。
【０１３４】
基地局４０−１ではこの信号を光インターフェース４３で受け取り、ここで電気信号に変換する。そして、この変換された電気信号は結合器４１に入力され、基地局４０−１の変調器４１で変調されて出力されてきた信号と結合して送り出す。
【０１３５】
ここで、上記基地局４０−２における処理装置４６−２から分配器４２までの詳細な構成を図１４、図１５に示す。
【０１３６】
［基地局４０−２の構成例ｉ］
図１４に示す構成においては、ネットワーク５よりインターフェース４７−２を介して入力されたデジタル信号は、処理装置４６−２で個々のデータに分離される。そして、変調器４５−２に与える。変調器４５−２の内部構成はチャネル別に変調素子４９を設けた形態であって、複数あるチャネル別の各変調素子４９はその出力先が固定になっており、処理装置４６−２は分離した個々のデータを、その出力先に適合した変調素子に割り振る。
【０１３７】
この結果、変調器４５−２では、各変調素子４９において処理装置４６−２からのデータをそれぞれ変調して出力することになる。
【０１３８】
変調器４５−２の出力は宛先ごとに束ねられ、自局のアンテナ、光送信器や光インターフェース４４へ送られる。
【０１３９】
すなわち、図１４の構成は、変調器４５−２を宛先別の変調素子４９で構成し、処理装置４６−２からの宛先別のデータを、該当の宛先の変調素子４９に与える構成としたことにより、宛先別の変調素子４９が分配器４２の役割を担う構成としたものである。
【０１４０】
［基地局４０−２の構成例ii］
図１５の構成においても、変調器４５−２は複数チャネル分の独立した変調素子４９を設けているが、変調器４５−２の出力側に切り替え用のスイッチ５０を設けてある。
【０１４１】
このスイッチ５０は宛先別に出力先を切り替えるためのものであり、分配器４２に相当する。
【０１４２】
そして、処理装置４６−２は分離した個々のデータを適当に変調器４５−２内の変調素子４９に割り振る。変調器４５−２の個々の変調素子４９にて変調された出力はスイッチ５０でそれぞれの宛先対応の出力端子４８−２や光インターフェース４４に分配するように切り替え接続させる。
【０１４３】
この結果、スイッチ５０により変調器４５−２の出力は宛先ごとに結合され、自局のアンテナや光送信器、光インターフェース４４へ送り出されることになる。
【０１４４】
基地局４０−１へ送り出される出力信号については分配器４２（すなわち、スイッチ５０）から光送信器である光インターフェース４４に出力されることにより、ここで光信号に変換されて光ファイバ７へと送り出される。
【０１４５】
基地局４０−１側では光ファイバ７を介して伝送されてきた光信号を光インターフェース４３により自局に取り込み、自局で変調した信号と結合器４１で結合し、自局のアンテナまたは自局が収容するリモート局に送り出す。
【０１４６】
なお、図１４，図１５では、基地局４０−２では、基地局４０−１に送られる信号が基地局４０−１が要求する周波数帯で送られるように変調器４５−２で変調する。あるいは、光送信器内等で適宜周波数変換し、基地局４０−１が要求する周波数帯で送り出す。
【０１４７】
以上は、他局の送信すべき信号の処理を一部、代行する基地局４０−２の説明であった。次に送信すべき信号を他局に一部処理をして貰ってそれを受け取り、自局で送信する基地局４０−１の詳細を説明する。
【０１４８】
［基地局４０−１の構成例ｉ］
基地局４０−１の構成はその条件によって異なる。ここで云う条件とは、“データの送り先が自局のアンテナである”、“データの送り先が自局の収容するリモート局である”、“アンテナやリモート局、収容ファイバの数”、“自局のアンテナやリモート局へ送り出す信号のうち、どの程度を他の基地局で変調してもらったか”、などである。
【０１４９】
図１６は自局（基地局４０−１）のアンテナ５４が１つの場合である。この図の構成は、光ファイバ７からの光信号を光インターフェースである光受信器５２で取り込む構成である。
【０１５０】
すなわち、基地局４０−１において、光ファイバ７から入力された光は光受信器５２で電気信号に変換され、結合器５３で自局で変調した信号と結合してアンテナ５４に送る。他の基地局から送られてきた変調済み光信号のサブキャリア周波数がＲＦでない場合は、光受信器５２内でＲＦに変換させる構成とする。あるいは、自局の変調器出力がＲＦでなく、アンテナ５４の前でＲＦに変換される場合は、光受信器で受信された信号と結合してからまとめてアンテナ５４の前でＲＦに変換しても良い。
【０１５１】
［基地局４０−１の構成例ii］
図１７に示す構成は、基地局４０−１がリモート局を収容しており、そのための光ファイバ４が１本の場合の構成例である。
【０１５２】
この構成の基地局４０−１の場合、他局である基地局４０−２から伝送されてきた光信号を、光コネクタ５１等の光インターフェースを介して基地局４０−１内に取り込む。基地局４０−１内では自局の変調器４５−１で変調し、光送信器５５で光信号に変換した信号と、基地局４０−２から送られてきた光信号を光結合器５６で合流させ、リモート局に向けて送り出す。
【０１５３】
このとき、他局である基地局４０−２から送られてきた光信号と自局である基地局４０−１の光送信器５５の出力光の波長が重ならないようにする。
【０１５４】
リモート局では基地局４０−１から送られてきた光を、波長分波して受信する。あるいは、基地局４０−１の光送信器出力光のサブキャリア周波数と基地局４０−２から送られてくる光のサブキャリア周波数が重ならないようにしておき、リモート局では波長分波せずにまとめて受信しても良い。
【０１５５】
また、図１８のように基地局４０−２から送られてきた変調済みの信号を、光受信器５２で電気信号に変換し、場合によっては適宜周波数変換を施して、自局の変調器出力と結合器５３で結合して、光送信器５５で光信号に変換してからリモート局に送信するようにしても良い。
【０１５６】
［基地局４０−１の構成例iii］
図１９は基地局４０−１の有するアンテナ５４が複数ある場合の構成例である。複数あるアンテナ５４はスイッチ５７を介して自局内の変調器４５−１と自局に設けられた光受信器５２に接続される。光受信器５２は光ファイバ７に接続される。
【０１５７】
図１９の構成においても、変調器４５−１は複数チャネル分の独立した変調素子４９を設けている。すなわち、複数チャネル分の出力を各チャネル別に独立して出力し、宛先となるアンテナ毎にまとめて出力する。
【０１５８】
そして、変調器４５−１の出力側に切り替え用のスイッチ５７を設けてあるが、このスイッチ５７は宛先別に出力先を切り替えるためのものであって、当該スイッチ５７の入力端子は複数あり、変調器４５−１から出力される宛先毎にまとめられた各々の信号に対応する出力端子を、スイッチ５７の持つ複数の入力端子うち、それぞれ異なる特定の一つに対応させて接続させてある。また、スイッチ５７の入力端子の一つは光受信器５２に接続してある。そして、スイッチ５７の出力端子は複数あり、これら複数の出力端子は複数あるアンテナ５４のうち、それぞれ異なる特定の一つに接続され、スイッチ切替え操作を行うことによって、所望の入力端子を所望の出力端子に接続して経路選択切替えすることができるようになっている。
【０１５９】
このような構成の基地局４０−１は、処理分担を依頼してある基地局４０−２から光ファイバ７を介して送られてきた光信号を、自局の光受信器５２で受け、ここで電気信号に変換した後、スイッチ５７に入力される。すなわち、光受信器５２の出力側はスイッチ５７の複数ある入力端子のうち、特定の一つに接続されているので、スイッチ５７がこの入力端子を特定の出力端子に経路を接続してあれば、その出力端子に接続されている特定のアンテナ５４に対して電気信号変換された出力が送り出されることになる。
【０１６０】
一方、自局で変調した宛先別信号は、スイッチ５７の複数ある入力端子のうち、それぞれ対応する特定の一つに接続されているので、スイッチ５７がこれらの入力端子を特定の出力端子に経路接続してあれば、その出力端子に接続されている特定のアンテナ５４に対して出力が送り出されることになる。
【０１６１】
なお、光受信器５２で受信した信号がＲＦ信号でないならば、アンテナ５４までの経路内のいずれかで周波数変換器によってＲＦ信号（無線周波数信号）に周波数変換する必要がある。例えば、スイッチ５７がＩＦ信号（中間周波信号）を扱うスイッチである場合は、自局の変調器４５−１の出力もＩＦ信号となるので、アンテナ５４の前段に、周波数変換器が配置されてここでＲＦ信号に変換してからアンテナ５４に与えることになる。
【０１６２】
［基地局４０−１の構成例iv］
図２０は基地局４０−１がリモート局を収容する光ファイバ伝送路４を複数系統、持っている場合の例である。この場合、図１９でのスイッチ５７は光スイッチ５８に置き換えられており、図１９の構成と同様に図２０においても、変調器４５−１は複数チャネル分の独立した変調素子４９を設けている。複数チャネル分の出力を出力する光ファイバ毎にまとめて出力する構成である。そして、変調器４５−１の出力側には、それぞれ個別に光送信器５５を接続してあり、これら光送信式５５を介して切り替え用の光スイッチ５８に接続される。
【０１６３】
この光スイッチ５８は宛先別に出力先を切り替えるためのものであって、当該光スイッチ５８の入力端子は複数あり、変調器４５−１から出力される宛先毎にまとめられた各々の信号に対応する出力端子を、光スイッチ５８の持つ複数の入力端子うち、それぞれ異なる特定の一つに対応させた上で、光送信器５５を介して接続させてある。光送信器５５は電気信号を光信号に変換して出力するものである。また、光スイッチ５８の入力端子の一つは光コネクタ５１に接続してある。
【０１６４】
光スイッチ５８の出力端子は複数あり、これら複数の出力端子は複数系統ある光ファイバ伝送路４のうち、それぞれ異なる特定の一つに接続され、スイッチ切替え操作を行うことによって、所望の入力端子を所望の出力端子に接続して所望の系統の光ファイバ伝送路４に接続するよう、経路選択切替えすることができるようになっている。
【０１６５】
このような構成の基地局４０−１は、処理分担を依頼してある基地局４０−２から光ファイバ７を介して送られてきた光信号を、自局の光コネクタ５１などの光インターフェースを介して自局内に取り込む。すなわち、光コネクタ５１の出力側は光スイッチ５８の複数ある入力端子のうち、特定の一つに接続されているので、光スイッチ５８がこの入力端子を特定の出力端子に経路接続してあれば、その出力端子に接続されている特定系統の光ファイバ伝送路４に対して光信号が送り出されることになる。
【０１６６】
一方、自局で変調した宛先別信号は、それぞれ特定の光送信器５５を介して光スイッチ５８の複数ある入力端子のうち、それぞれ対応する特定の一つに接続されて入力される構成となっているので、光スイッチ５８がこれらの入力端子を特定の出力端子に経路を接続してあれば、その出力端子に接続されている特定の系統の光ファイバ伝送路４に対して光信号が送り出されることになり、光ファイバ伝送路４に接続されたリモート局に対してその光信号が送られることになる。
【０１６７】
［基地局４０−１の構成例ｖ］
図２１は基地局４０−１がリモート局を収容する光ファイバ伝送路４を複数系統分、持っている場合で、しかも、他の複数の基地局からそれぞれ別系統の光ファイバ７で光信号が送られてくる場合の構成例である。
【０１６８】
図２１の構成は、基本的には図２０と変わらないが、他の基地局からそれぞれ別系統の光ファイバ７で送られてくる光信号を受け取ることができるようにするべく、各系統別光ファイバ７を各々別に接続するために、光コネクタ５１を複数設けてある。
【０１６９】
宛先別に出力先を切り替えるための光スイッチ５８は、図２０の場合と同様に入力端子は複数あり、変調器４５−１から出力される宛先毎にまとめられた各々の信号に対応する出力端子を、光スイッチ５８の持つ複数の入力端子うち、それぞれ異なる特定の一つに対応させた上で、光送信器５５を介して接続させてある。また、光スイッチ５８の入力端子のいくつかは各光コネクタ５１にそれぞれ各別に接続してある。
【０１７０】
光スイッチ５８の出力端子は複数あり、これら複数の出力端子は複数系統ある光ファイバ伝送路４のうち、それぞれ異なる特定の一つに接続され、スイッチ切替え操作を行うことによって、所望の入力端子を所望の出力端子に接続して所望の系統の光ファイバ伝送路４に接続するよう、経路選択切替えすることができるようになっている。
【０１７１】
このような構成においては、図２０の場合と同様に、光スイッチ５８の入力端子に入力される各光信号は、当該光スイッチ５８でそれぞれの宛先に割り振る。
［基地局４０−１の構成例vi］
図２２は図２１の変形例であり、基地局４０−１がリモート局を収容する光ファイバ伝送路４を複数系統分、持っている場合で、しかも、他の基地局からの光信号が多重化されて１系統の光ファイバ７により送られてくる場合での構成例である。
【０１７２】
すなわち、他の基地局４０−２から光ファイバ７で送られてくる信号が波長多重されており、各々の波長が別のリモート局収容光ファイバ４ヘ送られる信号となっている場合である。
【０１７３】
この場合、図２１の光コネクタ５１の代わりに波長分波器５９を設けてある。この波長分波器５９は多重化された光信号を分波するものであり、分波される光信号の出力系統数対応に出力端子を有していて、それぞれの出力端子は光スイッチ５８の複数ある入力端子のうち、それぞれ特定の一つに接続されている。
【０１７４】
このような構成の基地局４０−１は、処理分担を依頼してある基地局４０−２から光ファイバ７を介して送られてきた光信号を、自局の光波長分波器５９を介して自局内に取り込む。光ファイバ７を介して送られてくる基地局４０−２からの光信号は複数チャネル分が多重化されており、波長分波器５９ではこの多重化された光信号を、波長を分波することにより、分けてそれぞれ分波した波長帯別に異なる出力端子から出力する。そして、光スイッチ５８に送り出す。光スイッチ５８はこれを所定の光ファイバ伝送路へと送り出す。
【０１７５】
すなわち、光分波器５９の出力側は光スイッチ５８の複数ある入力端子のうち、特定の一つに接続されているので、光スイッチ５８がこの入力端子を特定の出力端子に経路接続してあれば、その出力端子に接続されている特定系統の光ファイバ伝送路４に対して光信号が送り出されることになる。
【０１７６】
一方、自局で変調した宛先別信号は、それぞれ特定の光送信器５５を介して光スイッチ５８の複数ある入力端子のうち、それぞれ対応する特定の一つに入力されているので、光スイッチ５８がこれらの入力端子を特定の出力端子に経路を接続してあれば、その出力端子に接続されている特定の系統の光ファイバ伝送路４に対して光信号が送り出されることになり、光ファイバ伝送路４に接続されたリモート局に対してその光信号が送られることになる。
【０１７７】
［基地局４０−１の構成例vii］
図２３の構成は、図２２の構成と同様に、他の基地局で変調した信号が波長多重で送られてきた場合であるが、それらを光ファイバ伝送路４にではなく、自局の複数のアンテナ５４に送り出す場合の構成である。
【０１７８】
基本的には、図２２での構成と同じであるが、光スイッチ５８に替え、スイッチ５７を使用し、また、波長分波器５９とスイッチ５７との間に系統別に光受信器５２を設ける。
【０１７９】
変調器４５−１は複数チャネル分の独立した変調素子４９を設けて構成しており、各チャネル別に独立して出力し、宛先となるアンテナ毎にさらにまとめて出力する。そして、変調器４５−１の出力側に切り替え用のスイッチ５７を設けてあるが、このスイッチ５７は宛先別に出力先を切り替えるためのものであって、当該スイッチ５７の入力端子は複数あり、変調器４５−１から出力される宛先毎にまとめられた各々の信号に対応するその出力端子を、スイッチ５７の持つ複数の入力端子うち、それぞれ異なる特定の一つに対応させて接続させてある。
【０１８０】
スイッチ５７の入力端子のいくつかは光受信器５２に接続してある。また、スイッチ５７の出力端子は複数あり、これら複数の出力端子は複数あるアンテナ５４のうち、それぞれ異なる特定の一つに接続され、スイッチ切替え操作を行うことによって、所望の入力端子を所望の出力端子に接続して経路選択切替えすることができるようになっている。
【０１８１】
このような構成の基地局４０−１は、処理分担を依頼してある基地局４０−２から光ファイバ７を介して送られてきた多重された光信号を波長分波器５９で波長を分ける。そして、光スイッチ５７との間に設けたそれぞれ対応の光受信器５２で電気信号に変換し、スイッチ５７に入力してそれぞれの信号が送信されるべきアンテナ５４へと送り出す。
【０１８２】
すなわち、光受信器５２の出力側はスイッチ５７の複数ある入力端子のうち、特定の一つに接続されているので、スイッチ５７がこの入力端子を特定の出力端子に経路を接続してあれば、その出力端子に接続されている特定のアンテナ５４に対して電気信号変換された出力が送り出されることになる。
【０１８３】
一方、自局で変調した宛先別信号は、スイッチ５７の複数ある入力端子のうち、それぞれ対応する特定の一つに接続されているので、スイッチ５７がこれらの入力端子を特定の出力端子に経路接続してあれば、その出力端子に接続されている特定のアンテナ５４に対して出力が送り出されることになる。
【０１８４】
なお、光受信器５２で受信した信号がＲＦ信号でないならば、アンテナ５４までの経路内のいずれかで周波数変換器によってＲＦ信号に周波数変換する必要がある。例えば、スイッチ５７がＩＦ信号を扱うスイッチである場合は、自局の変調器４５−１の出力もＩＦ信号となるので、アンテナ５４の前段に、周波数変換器が配置されてここでＲＦ信号に変換してからアンテナ５４に与えることになる。
【０１８５】
［基地局４０−１の構成例viii］
図２４の構成は、他の基地局から送信してもらった光信号の中に複数のアンテナで使用する信号がサブキャリア多重されている場合の構成例である。
【０１８６】
基本的には、図２３での構成と同じであるが、波長分波器５９に替え、光受信器５２を使用し、また、図２３において波長分波器５９とスイッチ５７との間に系統別に設けた光受信器５２の代わりにフィルタ６０をそれぞれ設けて構成した。
【０１８７】
このような構成の基地局４０−１は、処理分担を依頼してある基地局４０−２から光ファイバ７を介して送られてきたサブキャリア多重された光信号を自局の光受信器５２で取り込む。そして、この光受信器５２で電気信号に変換した後、分岐して、各々フィルタ６０を通し、それぞれのアンテナで使用する信号に分けた後、スイッチ５７でそれぞれのアンテナに振り分ける。
【０１８８】
各フィルタ６０はアンテナの系統対応のサブキャリア周波数帯について選別するフィルタ特性を持たせてあれば、必要な周波数成分のみを抽出できる。従って、サブキャリア多重された光信号をアンテナ対応に必要な成分を抽出して該当のアンテナに送り出すことができる構成となる。
【０１８９】
なお、図示しないが本システムでは、フィルタ６０からアンテナ５４までの間のどこかで、適切なＲＦ周波数に変換される。
【０１９０】
一方、自局で変調した宛先別信号は、スイッチ５７の複数ある入力端子のうち、それぞれ対応する特定の一つに接続されているので、スイッチ５７がこれらの入力端子を特定の出力端子に経路接続してあれば、その出力端子に接続されている特定のアンテナ５４に対して出力が送り出されることになる。
【０１９１】
以上、他の基地局で変調した信号と自局で変調した信号を合流する場合と、他の基地局で変調してもらった信号を自局のアンテナ１個以上、あるいは、ファイバ１本以上に割り振ってしまう場合を述べた。本発明では、これらが混合されるような形態も可能である。
【０１９２】
すなわち、自局の複数のアンテナの内、１本に自局で変調した信号と他の基地局で変調した信号を混合して送り出し、残りのアンテナには自局で変調した信号を送り出すような形態でもよい。
【０１９３】
次に、他の基地局に復調と変調を同時に依頼する形態について説明する。
（他の基地局に復調と変調を依頼する形態の例）
［他基地局に復調／変調分担の依頼をできるようにする形態の例Ｉ］
他の基地局に復調と変調を依頼する形態の構成例を図２５に示す。
【０１９４】
図２５において、５はネットワーク、６１−１，６１−２はそれぞれ基地局であり、７−１，７−２は光ファイバ、８，９は光インターフェース、１０−１，１０−２は入力用の端子、１１は分配器、１２−１，１２−２は復調器、１３−１，１３−２は処理装置、１５，４１は結合器、４２は分配器、４３，４４は光インターフェース、４５−１，４５−２は変調器、４６−１，４６−２は処理装置、４８−１，４８−２は出力用の端子、６２−１，６２−２はインターフェースである。
【０１９５】
基地局６１−１，６１−２は、それぞれインターフェース６２−１，６２−２を介してネットワーク５に接続されている。また、基地局６１−１，６１−２は光ファイバ７−１，７−２により互いに接続されている。光ファイバ７−１は基地局６１−２から基地局６１−１への伝送用、光ファイバ７−２は基地局６１−１から基地局６１−２への伝送用である。
【０１９６】
ここで基地局６１−１，６１−２は、自局にアンテナを有する構成としたり、あるいは自局にリモート局を接続した構成を採るなど、種々の形態を採用可能である。
【０１９７】
基地局６１−１は端子１０−１、光インターフェース８、分配器１１、復調器１２−１、処理装置１３−１、インターフェース６２−１、結合器４１、光インターフェース４３、変調器４５−１、処理装置４６−１を備える。
【０１９８】
また、基地局６−２は、光インターフェース９、端子１０−２、結合器１５、復調器１２−２、処理装置１３−２、インターフェース６２−２、分配器４２、光インターフェース４４、変調器４５−２、処理装置４６−２を備える。
【０１９９】
前記端子１０−１は、基地局６１−１が収容するリモート局やアンテナから送られてきた復調されていない帯域信号を自局に取り込むために設けた端子である。
【０２００】
また、端子１０−２は、基地局６１−２が収容するリモート局やアンテナから送られてきた復調されていない帯域信号を自局に取り込むために設けた入力用の端子である。
【０２０１】
ネットワーク５は電話網などの公衆網であり、光ファイバ７−１，７−２は、基地局６１−１と基地局６１−２とを結ぶ光伝送路であって、ネットワーク５とは独立して設けられている。
【０２０２】
前記分配器１１は、前記端子１０−１に入力された復調されていない帯域信号を通すことにより、基地局６１−１内で復調する信号と、他の基地局６１−２で復調する信号に分けるためのものである。
【０２０３】
また、復調器１２−１は、この分配器１１により分けられた自局側で復調する信号をを受けて、当該信号をベースバンドデジタル信号に復調するためのものである。また、処理装置１３−１は、復調器１２−１により復調されたベースバンドデジタル信号を、ネットワーク５に送り出されるのに適切なデータフォーマットに処理するものであり、インターフェース６２−１はこの処理装置１３−１によりデータフォーマット変換されたベースバンド信号を、ネットワーク５の物理条件に合わせた上でネットワーク５へと送り出したり、ネットワーク５から送られてきた信号を受け取って処理装置４６−１へ渡したりするためのものである。光インターフェース８は、分配器１１で分配された信号のうち、他の基地局６−２に転送する信号を、光ファイバ７に送り出すためのインターフェースである。
【０２０４】
基地局６１−１における処理装置４６−１は、インターフェース６３−１を介して受け取ったネットワーク５からの信号を、ネットワーク用データフォーマットのデータ形式から制御信号を分離し、データ部を個々のベースバンドデジタル信号に変換すると云った処理をするものであり、変調器４５−１はこのベースバンドデジタル信号を変調して無線通信に用いる帯域信号にする装置である。
【０２０５】
また、結合器４１はこの変調器４５−１からの無線周波数の信号と光インターフェース４３からの信号を結合して端子４８−１に出力するものであり、光インターフェース４３は基地局６１−２からの光信号を電気信号に変換して結合器４１に与えるためのものである。
【０２０６】
基地局６１−２における光インターフェース９は、光ファイバ７−２を伝送されてきた光信号を取り込むためのインターフェースであり、結合器１５は、端子１０−２から入力された信号と、光ファイバ７−２を伝送されて来た信号とを合流させて復調器１２−２に入力させるためのものであり、復調器１２−２はこの合流された信号を、ベースバンドデジタル信号に復調させるためのものである。処理装置１３−２は、復調器１２−２で復調されたベースバンドデジタル信号を、ネットワーク５に送り出すのに適切なデータフォーマットに処理するためのものであり、インターフェース６２−２はこの処理装置１３−２によって処理された信号を、ネットワーク５の物理条件に合わせて当該ネットワーク５へと送り出したり、ネットワーク５から送られてきた信号を受け取るためのものであり、処理装置４６−２は、インターフェース６２−２を介して受け取ったネットワーク５からの信号を、ネットワーク用データフォーマットのデータ形式から制御信号を分離し、データ部を個々のベースバンドデジタル信号に変換すると云った処理をするものであり、変調器４５−２はこのベースバンドデジタル信号を変調して無線通信に用いる帯域信号にする装置である。
【０２０７】
また、基地局６１−２の分配器４２はこの変調器４５−２からの無線周波数の信号を宛先別に分岐させて端子４８−２に与えたり、光インターフェース４４に与えたりするものであり、光インターフェース４４はこの分配された信号を光電変換して光信号として光ファイバ７−１に出力するためのものである。
【０２０８】
このような構成のシステムにおける作用を説明する。初めに受信時での作用を説明する。本来の受け持ち分の処理の他、基地局６１−１の混雑時に、処理を分担する基地局６１−２がある。
【０２０９】
基地局６１−１は、自局において受信すべきデータが増大して処理が追いつかなくなるような場合では、自局が本来受信処理しなければならない分の一部を他局に分担して貰うように処理依頼することができるような制御機能を持っている。
【０２１０】
例えば、いま、基地局６１−１のトラヒックが増大して処理が追いつかなくなる危険性が生じたとする。
【０２１１】
この場合、基地局６１−１は基地局６１−２に処理分担を依頼することになる。基地局６１−２が処理分担を承諾した場合には、基地局６１−１では復調すべき信号を一部、基地局６１−２に分配することになる。
【０２１２】
本システムでは、基地局６１−１においては端子１０−１から、また、基地局６１−２においては端子１０−２から、復調されていない信号が入力される。この入力された復調されていない信号は基地局６１−１においては分配器１１に入力され、ここで分岐される。そして、これらの分岐された信号の一方は自局の復調器１２−１に送られてここで復調され、また、分岐された信号の他方は光インターフェース８に送られる。そして、この光インターフェース８より光ファイバ７−２を介して、基地局６１−２へ送信する。
【０２１３】
基地局６１−２では、基地局６１−１から送られてきた光信号を光受信器である光インターフェース９で受け取り、そして、電気信号に変換する。そして、端子１０−２より入力された自局での復調すべき信号とともに結合器１５で結合した後に、復調器１２−２に入力して復調する。
【０２１４】
双方の基地局で復調された信号は、それぞれの基地局の持つ処理装置１３−１、１３−２でネットワーク５に適したデータ形態にしたのち、それぞれの基地局からインターフェース６２−１，６２−２を介してネットワーク５に送られ、ネットワーク５はこの送られてきたデータを当該データの通信先に送る。
【０２１５】
次に送信時での作用を説明する。
【０２１６】
基地局６１−１，６１−２は、自局において送信すべきデータが増大して処理が追いつかなくなるような場合では、自局が本来送信処理しなければならない分の一部を他局に分担して貰うように処理依頼することができるような制御機能を持っている。
【０２１７】
例えば、いま、基地局６１−１が混雑し、処理が追いつかなくなる危険が生じたとする。この時点で基地局６１−１は基地局６１−２に変調処理の分担を依頼することになる。そして、基地局６１−１は、基地局６１−２に変調を依頼するデータに関しては、データがネットワーク５を介して基地局６１−２に送られるように、データ送信元に指示する。
【０２１８】
基地局６１−２は、基地局６１−２から変調を依頼されたデータをネットワーク５からインターフェース６２−２を介して受け取ったならば、これを自局の変調器４５−２で変調し、分配器４２にて分配して光送信器である光インターフェース４４に入力し、光信号に変換してから光ファイバ７−１を介して基地局６１−１へ送る。
【０２１９】
ここで基地局６１−２は依頼されたデータばかりでなく、自局のアンテナから送信するデータ、あるいは、自局の収容するリモート局から送信するデータの変調も同時に行う。従って、変調したこの自局用の送信データについては分配器４２は自局の出力端子４８−２に送り出すように分配する。
【０２２０】
基地局６１−１では基地局６１−２から送信されてきた光信号を光インターフェース４３を介して自局内に取り込み、自局で変調した信号と合わせて、自局のアンテナあるいは光ファイバに送り出す。
【０２２１】
以上により、他の基地局に復調と変調を依頼する形態のシステムを構築でき、混雑時にはこの基地局に自局で処理しなければならない一部のトラヒックを、そのときにトラヒックに余裕のある基地局に分担させて運用することができるようになって、変調器や復調器を最大トラヒックに合わせた容量としなくとも済むようになる。
【０２２２】
以上種々の実施例を説明したが、これらは、他基地局に“変調を依頼する場合”、“復調を依頼する場合”それぞれでの単独のケースを説明し、また、各々の基地局の構成は様々に変形可能であることを示した。しかし、単独ではなく、両方の機能を有する場合でも良く、その場合に各々の機能に関する構成について同様の変形が可能である。
【０２２３】
本発明は、混んでいる基地局が空いている基地局にトラヒックの一部を負担してもらうことで、基地局の変復調装置等の設備を減らすことを目的としている。
【０２２４】
従って、光ファイバで接続する相手の基地局は自局のトラヒックが混んでいるときに空いており、また、自局のトラヒックが空いているときに混んでいるようなところであると良い。
【０２２５】
また、これまでの説明には自局のトラヒックの一部を他の基地局に負担してもらう形態を示したが、自局が空いているときは他の基地局のトラヒックを引き受ける構成とすることもできる。
【０２２６】
そのような機能を持つためには、単純には図２５の基地局６１−１の構成と基地局６２−２の構成を同時に持っていれば良い。
【０２２７】
その場合、基地局は光送信用インターフェース、光受信用インターフェースおよび送信用、受信用の光ファイバ７をそれぞれ２系統持つようになる。尚、自局が混んでいて、他の基地局に変復調の一部を負担してもらっているときに、自局が他の基地局のトラヒックの一部を負担するといった形態は常識的に考えても不合理であるので、このような動作形態は考えなくて良い。
【０２２８】
そこで、変復調の処理を一部負担して貰った処理済みのデータを本来の基地局に渡すために設けてある基地局間を繋ぐ光ファイバ７についてこれを共用することが可能であるが、これはひいては、光インターフェースを共用することができることを意味し、このような共用形態を採用することによって設備を削減してコストダウンを図ることが可能になる。その例を次に図２６を参照して説明する。
［他基地局に復調／変調分担の依頼をできるようにする形態の例II］
図２６に、基地局間を繋ぐ光ファイバ７を共用化する実施形態を示す。
【０２２９】
図２６においては、基地局内の構成は省略して示している。この形態の場合、基地局６３−１が基地局６３−２に復調を依頼するときに使用する光インターフェース６６−１と、変調依頼を受けた基地局６３−１が依頼元の基地局６３−２に変調済みの信号を送るときに基地局６３−２側で使用する光インターフェース６６−２の出力を光結合器６４−１で結合する構成とし、光ファイバ７を共用する。
【０２３０】
受信側では、光分岐器６５−１で光ファイバを伝搬してきた光を分岐し、一方を基地局６３−１が基地局６３−２に復調を依頼するときの光インターフェース６７−３、他方を基地局６３−１が基地局６３−２に変調済みの信号を送るときの光インターフェース６７−４に接続する。光インターフェース６６−１と６６−２、あるいは光インターフェース６７−３と６７−４は同時に使用されることがないため、このようにしても、信号が混信することはない。
【０２３１】
また、基地局６３−２が基地局６３−１に復調を依頼するときの光インターフェース６６−３と、基地局６３−２が基地局６３−１に変調済みの信号を送るときの光インターフェース６６−４の出力を光結合器６４−２で結合し、光ファイバ７−２を共用する構成とする。
【０２３２】
基地局６３−１では、光ファイバ７を伝搬してきた光信号を光分岐器６５−２で分岐し、一方を基地局６３−２が基地局６３−１に復調を依頼するときの光インターフェース６７−１、他方を基地局６３−２が基地局６３−１に変調済みの信号を送るときの光インターフェース６７−２に接続する。混信することがないのは同様である。
【０２３３】
光結合器６４−１，６４−２および光分岐器６５−１，６５−２はカップラ、あるいは光スイッチなどにより構成する。カップラは安価であり、光スイッチは損失が少ない。
【０２３４】
［他基地局に復調／変調分担を依頼できるようにする形態の例III］
図２７には光インターフェースが光送信器６８および光受信器６９であってこれらを共用する場合の構成例を示す。
【０２３５】
端子７３−１は基地局７０−１が基地局７０−２に復調を依頼するときの信号が入力される端子であって、自局のアンテナ等から信号が入力される。端子７３−２は基地局７０−１が基地局７０−２に送る変調済みの信号が入力される端子であり、変調器出力が入力される。これらを結合器７１−１で結合する。結合器７１−１はパワーコンバイナのようなパッシブな結合器でも良いし、スイッチのように切り替えるものでも良い。
【０２３６】
結合器７１−１の出力は光送信器６８−１によって光信号に変換され、光ファイバ７−１で基地局７０−２に伝送され、光受信器６９−２で電気信号に変換される。受信した電気信号は、信号の種類によって分配器７２−２で分配される。基地局７０−２が復調を依頼された信号なら復調器に、基地局７０−２のアンテナで送信する信号ならアンテナに送られる。分配器７２−２は切替スイッチかパワーデバイダである。パワーデバイダを用いる場合は、復調器やアンテナの前に別にスイッチが必要である。
【０２３７】
なお、本発明の構成を使用すると、例えば、図２８に示すように、基地局７５−１が故障となったときや、保守点検などで使用できない状態になった時に、自局の使用できなくなった変復調器の代わりに、変復調処理すべき信号の変復調をすべて他の基地局７５−２に依頼してしまうような利用形態をとることができる。
【０２３８】
したがって、本発明は、システム障害時のバックアップ用としても利用可能であり、その結果、信頼性の高い、堅固な通信システムが構築できるようになる。
【０２３９】
【発明の効果】
以上説明したように、本発明によれば、基地局で扱うトラヒック量がその基地局の変復調能力を超えたとき、自局に入力された無線信号の一部を分岐して光ファイバで他の基地局へ伝送し、他の基地局に復調を依頼するようにした。また、他の基地局で変調済みの信号を光ファイバで伝送してもらい、自局のアンテナ等から送信する。また、自局が空いているときには、他の混んでいる基地局のトラヒックの変復調を行い、光ファイバで混んでいる基地局と信号を送受信するようにした。
【０２４０】
その結果、基地局に備える変復調装置の規模をその基地局の最大のトラヒックに合わせる必要がなく、より小さい規模でよくなるため設備が削減でき、省スペース、低コスト化につながる。また、本発明は、システム障害時のバックアップ機構として使用することが可能であり、信頼性の高いシステムが構築できる。
【図面の簡単な説明】
【図１】本発明を説明するための図であって、復調系統を主体とした本発明の実施の形態の一つを示す図である。
【図２】本発明を説明するための図であって、本発明を説明するための図である。
【図３】本発明を説明するための図であって、本発明の実施の形態の一つを示す図である。
【図４】本発明を説明するための図であって、本発明の実施の形態の一つを示す図である。
【図５】本発明を説明するための図であって、本発明の実施の形態の一つを示す図である。
【図６】本発明を説明するための図であって、本発明の実施の形態の一つを示す図である。
【図７】本発明を説明するための図であって、本発明の実施の形態の一つを示す図である。
【図８】本発明を説明するための図であって、本発明の実施の形態の一つを示す図である。
【図９】本発明を説明するための図であって、本発明の実施の形態の一つを示す図である。
【図１０】本発明を説明するための図であって、本発明の実施の形態の一つを示す図である。
【図１１】本発明を説明するための図であって、本発明を構成する部品を説明するための図である。
【図１２】本発明を構成する部品を説明するための図である。
【図１３】本発明を説明するための図であって、送信系統を主体とした具体例としてのシステム構成図である。
【図１４】本発明を説明するための図であって、本発明の実施の形態の一つを示す図である。
【図１５】本発明を説明するための図であって、本発明の実施の形態の一つを示す図である。
【図１６】本発明を説明するための図であって、本発明の実施の形態の一つを示す図である。
【図１７】本発明を説明するための図であって、本発明の実施の形態の一つを示す図である。
【図１８】本発明を説明するための図であって、本発明の実施の形態の一つを示す図である。
【図１９】本発明を説明するための図であって、本発明の実施の形態の一つを示す図である。
【図２０】本発明の実施の形態の一つを示す図である。
【図２１】本発明を説明するための図であって、本発明の実施の形態の一つを示す図である。
【図２２】本発明を説明するための図であって、本発明の実施の形態の一つを示す図である。
【図２３】本発明を説明するための図であって、本発明の実施の形態の一つを示す図である。
【図２４】本発明を説明するための図であって、本発明の実施形態の一つを示す図である。
【図２５】本発明を説明するための図であって、送信系統と受信系統を含む形態での本発明の実施例を示す図である。
【図２６】本発明を説明するための図であって、本発明の実施の形態の一つを示す図である。
【図２７】本発明を説明するための図であって、本発明の実施の形態の一つを示す図である。
【図２８】本発明を説明するための図であって、本発明の実施の形態の一つを示す図である。
【図２９】本発明の背景を説明するための図である。
【符号の説明】
１…基地局
２…リモート局
３…携帯機
４…光ファイバ
５…ネットワーク
６…基地局
７…光ファイバ
８，９…光インターフェース
１０…端子
１１…分配器
１２…復調器
１３…処理装置
１４…インターフェース
１５…結合器
１６，１７…基地局
１８…アンテナ
１９…スイッチ
２０…光送信器
２１…分岐器
２２，２３…フィルタ
２４…多重化装置
２５…光結合器
２６…基地局
２７…光コネクタ
２８…光スイッチ
２９…光受信器
３０…光分岐器
３１…分岐結合部
３２…光波長分波器
３３…波長変操器
３４…入力端子
３５…復調素子
３６…出力端子
３７…復調素子ブロック
３８…入力端子
３９…出力端子
４０…基地局
４１…結合器
４２…分配器
４３、４４…光インターフェース
４５…変調器
４６…処理装置
４７…インターフェース
４８…端子
４９…変調素子
５０…スイッチ
５１，５２…光受信器
５３…結合器
５４…アンテナ
５５…光送信器
５６…光結合器
５７…スイッチ
５８…光スイッチ
５９…波長分波器
６０…フィルタ
６１…基地局
６２…インターフェース
６３…基地局
６４…光結合器
６５…光分岐器
６６…光インターフェース
【図１】
0003816672.tif 000002
【図２】
0003816672.tif 000003
【図３】
0003816672.tif 000004
【図４】
0003816672.tif 000005
【図５】
0003816672.tif 000006
【図６】
0003816672.tif 000007
【図７】
0003816672.tif 000008
【図８】
0003816672.tif 000009
【図９】
0003816672.tif 000010
【図１０】
0003816672.tif 000011
【図１１】
0003816672.tif 000012
【図１２】
0003816672.tif 000013
【図１３】
0003816672.tif 000014
【図１４】
0003816672.tif 000015
【図１５】
0003816672.tif 000016
【図１６】
0003816672.tif 000017
【図１７】
0003816672.tif 000018
【図１８】
0003816672.tif 000019
【図１９】
0003816672.tif 000020
【図２０】
0003816672.tif 000021
【図２１】
0003816672.tif 000022
【図２２】
0003816672.tif 000023
【図２３】
0003816672.tif 000024
【図２４】
0003816672.tif 000025
【図２５】
0003816672.tif 000026
【図２６】
0003816672.tif 000027
【図２７】
0003816672.tif 000028
【図２８】
0003816672.tif 000029
【図２９】
0003816672.tif 000030